(57)【要約】【課題】家具と壁面の凹凸との接合部をガード体で隠蔽することで、シール性を確保しつつ家具の天板回りのデザイン的統一性を保持することができる家具の据付施工法を提供する。【解決手段】家具の背面部を、排水管や給湯水管等の配管経路や柱等の突出体が形成されてなる場所に密着させて設置する家具の施工法であって、上記家具の背面部であって上記突出体と当接する部位を突出体の突出形状に対応させて切欠した後、この切欠部回りを平面形状が略字状或いは凹状に形成されたガード体を家具の天板部に載置して突出体の突出面部を囲繞し、該ガード体と家具の天板部との接合部を水密状にシールして構成した。【選択図】      図１
2004208881.tif 000002
【特許請求の範囲】
【請求項１】
家具の背面部を、排水管や給湯水管等の配管経路や柱等の突出体が形成されてなる場所に密着させて設置する家具の施工法であって、上記家具の背面部であって上記突出体と当接する部位を突出体の突出形状に対応させて切欠した後、この切欠部回りを平面形状が略字状或いは凹状に形成されたガード体を家具の天板部に載置して突出体の突出面部を囲繞し、該ガード体と家具の天板部との接合部を水密状にシールしたことを特徴とする家具の据付施工法。
【請求項２】
前記家具は、流し台であり、かつ、前記天板とガード体とを同一の金属素材で形成し、該金属製天板と前記ガード体の表面をエアープラズマで加工したことを特徴とする請求項１に記載の家具の据付施工法。
【請求項３】
前記天板バックガード部と当接する前記ガード体の端部を、バックガード部の湾曲形状に合わせて切欠したことを特徴とする請求項１または請求項２のいずれかに記載の家具の据付方法。
【発明の詳細な説明】
【０００１】
【発明の属する技術分野】
この発明は、流し台や洗面化粧台等の家具を、凹凸を有する壁面に現場合わせで密着して据え付ける施工法に係り、特に、家具の据付デザイン性を損なうことなく、シール性能をも確実に確保することができる家具の据付施工法に関する。
【０００２】
【従来の技術】
例えば、流し台を据え付ける台所の壁面に凹凸がある場合、従来では、壁面の突出形状に対応させて天板の後部を現場合わせで切断して嵌め込み、この天板の切欠部と上記突出部との間隙をシリコン等のシール剤で充填して水密性を得たり、或いは、特開平８−２９４４２６号に示すように、天板を前後にスライド自在とし、家具の天板を壁面の凹凸に対応させて家具後端部を壁面にできる限り密着させるように構成したものも提案されている。
【０００３】
【特許文献１】
特開平８−２９４４２６号
【０００４】
【発明が解決しようとする課題】
しかしながら、上記従来の前者の家具の据付施工法にあっては、据付後もシール剤が天板部分に表出するため、外観が損なわれ、特に、システムキッチン等のようなデザインの統一性が求められる商品では、商品としての品質が大幅に減じられ、また、後者の天板をスライドさせる構成のものにあっても、結局、家具背面と壁面との間に空隙が発生し、これが商品としての品質を大幅に減じてしまう、という課題を有していた。
【０００５】
この発明は、かかる現状に鑑み創案されたものであって、その目的とするところは、家具と壁面の凹凸との接合部をガード体で隠蔽することで、シール性を確保しつつ家具の天板回りのデザイン的統一性を保持することができる家具の据付施工法を提供しようとするものである。
【０００６】
【課題を解決するための手段】
上記目的を達成するため、請求項１に記載の発明にあっては、家具の背面部を、排水管や給湯水管等の配管経路や柱等の突出体が形成されてなる場所に密着させて設置する家具の施工法を技術的前提とし、上記家具の背面部であって上記突出体と当接する部位を突出体の突出形状に対応させて切欠した後、この切欠部回りを平面形状が略字状或いは凹状に形成されたガード体を家具の天板部に載置して突出体の突出面部を囲繞し、該ガード体と家具の天板部との接合部を水密状にシールしたことを特徴とするものである。
【０００７】
このように構成することで、請求項１に記載の発明にあっては、家具と壁面の凹凸との接合部をガード体で隠蔽することで、シール性を確保しつつ家具の天板回りのデザイン的統一性を保持することができる。
【０００８】
そして、この発明において、前記家具は、請求項２に記載したように、流し台に適用するのが好適であり、この場合、前記天板とガード体とを同一の金属素材で形成し、該金属製天板と前記ガード体の表面をエアープラズマで加工処理したことで、天板とのデザイン的統一性を得ることができる。
【０００９】
さらに、この発明にあっては、請求項３に記載したように、前記流し台等の家具の天板にバックガード部が形成されている場合、該バックガード部と当接する前記ガード体の端部を、上記バックガード部の湾曲形状に合わせて切欠することで、天板との一体性をより簡単に得ることができる。
【００１０】
尚、この発明において、天板とガード体との接合部におけるシールは、シリコン等の公知のシール材を用い、或いは、溶接によりシールしてもよい。
【００１１】
【発明の実施の形態】
以下、添付図面に示す発明の実施の一形態例に基づいて、この発明を詳細に説明する。
【００１２】
図１に示すように、この発明の実施の一形態例が適用された流し台は、ステンレス製の天板１の後端部に略逆Ｊ字状に形成されたバックガード部２が立ち上がり形成されており、該天板１が据え付けられる厨房の壁面には、排水管・給湯水管（図示せず）を覆う水平断面形状が略凹状に形成されたカバー体３と、基礎鉄骨等が覆われた柱４が突設されている。
【００１３】
従って、本流し台を同所に設置する場合には、先ず、天板１の後端部を上記カバー体３及び柱４の突出量及び突出形状に対応させて若干大きめに切り欠いた後、該切り欠いた天板１を上記カバー体３及び柱４に嵌め込み、天板１の後端部を壁面に密着させながら流し台キャビネット（図示せず）の上部に連結し固定する。
【００１４】
次に、上記カバー体３及び柱４の突出量及び突出形状を予め採寸し工場にて形成したカバー体用ガード体１０及び柱用ガード体２０を上記天板１の切り欠き部分に載置しセットする。
【００１５】
カバー体用ガード体１０は、この形態例では上記天板１と同一のステンレス材で形成されており、図２乃至図８に示すように、カバー体３の突出量及び突出形状に対応させて平面形状が略凹状に形成されている。
【００１６】
即ち、上記カバー体用ガード体１０は、正面板部１１と、該正面板部１１の左右両端部から奥行き方向に直角に連設された両側板部１２，１３と、から構成されており、上記各板部１１，１２，１３の上下端部から内方向には、フランジ部１１Ａ，１１Ｂ，１２Ａ，１２Ｂ，１３Ａ，１３Ｂが折曲形成されている。このフランジ部１１Ｂ、１２Ｂ，１３Ｂは、上記天板１の切り欠き部回りに載置されて溶接により天板１に水密状に固着され、また、上記フランジ部１１Ａ，１２Ａ，１３Ａは、カバー体３の表面に密に接するように成形されて構成されている。尚、このカバー体１０の表面は、エアープラズマ加工処理されて美麗に仕上げられており、天板１とのデザイン的統一性が確保できるように構成されている。また、水密性は、シリコン剤等の公知のシール材を用いて確保するように構成してもよい。この場合、シリコン剤等は、天板１と上記フランジ部１１Ｂ、１２Ｂ，１３Ｂとの間に充填することで、シリコン剤等のシール材が天板１のガード体１０回りに表出することがなく、高級感を得ることができる。
【００１７】
また、上記ガード体１０の両側板部１２，１３の後端部１２Ｃ，１３Ｃは、天板１の上記バックガード部２の湾曲形状に対応するように夫々略逆Ｊ字状に切り欠き形成されている。
【００１８】
このようにカバー体用ガード体１０を構成することで、カバー体３回りは、ガード体１０によって水密性を確保しつつ、上記フランジ部１１Ａ，１２Ａ，１３Ａがカバー体３の表面に密に接しているので、隙間が目立たず、しかも、天板１と同一の材質でガード体１０が形成されているので、デザイン性の統一を図ることができ、高級感を損なうことがない、という効果が得られる。
【００１９】
また、上記柱用ガード体２０は、この形態例では上記天板１と同一のステンレス材で形成されており、図９乃至図１５に示すように、柱４の突出量及び突出形状に対応させて平面形状が略Ｌ字状に形成されている。
【００２０】
即ち、上記柱用ガード体２０は、正面板部２１と、該正面板部２１の左端部から奥行き方向に直角に連設された左側板部２２と、から構成されており、上記各板部２１，２２の上下端部から内方向には、フランジ部２１Ａ，２１Ｂ，２２Ａ，２２Ｂが折曲形成されている。このフランジ部２１Ｂ、２２Ｂは、上記天板１の柱用切り欠き部回りに載置されてエアープラズマ溶接により天板１に水密状に固着され、また、上記フランジ部２１Ａ，２２Ａは、柱４の表面に密に接するように成形されて構成されている。尚、このカバー体２０の表面は、エアープラズマ加工処理されて美麗に仕上げられており、天板１とのデザイン的統一性が確保できるように構成されている。また、水密性は、シリコン剤等の公知のシール材を用いて確保するように構成してもよい。この場合、シリコン剤等は、天板１と上記フランジ部２１Ｂ、２２Ｂとの間に充填することで、シリコン剤等のシール材が天板１のガード体２０回りに表出することがなく、高級感を得ることができる。
【００２１】
また、上記ガード体２０の左側板部２２の後端部２２Ｃは、天板１の上記バックガード部２の湾曲形状に対応するように夫々略逆Ｊ字状に切り欠き形成されている。
【００２２】
このように柱用ガード体２０を構成することで、柱４回りは、ガード体２０によって水密性を確保しつつ、上記フランジ部２１Ａ，２２Ａが柱４の表面に密に接しているので、隙間が目立たず、しかも、天板１と同一の材質でガード体２０が形成されているので、デザイン性の統一を図ることができ、高級感を損なうことがない、という効果が得られる。
【００２３】
以上説明したように、この形態例に係る流し台の据付施工法にあっては、流し台Ｋが設置される壁面に上記カバー体３や柱４が突出していても、現場で上記カバー体３や柱４の突出量及び突出形状に対応させて切り欠きを天板１の後端部に形成し、しかも、この切り欠き部回りは、ガード体１０，２０によって水密性を確保しつつ隠蔽することができるので、例えば、システムキッチンとしてのデザインの統一性を保持することができ、高級な商品品質を保全することができる、という作用・効果を得ることができる。
【００２４】
尚、上記形態例では、壁面にカバー体３と柱４が突出している厨房を例に取り説明したが、この発明にあってはこれに限定されるものではなく、どちらか一方が突出した場合でももちろん対応することができ、また、これらの形状も上記形態例に限定されるものではなく、いずれの形状にも適宜変更して適用することができる。
【００２５】
【発明の効果】
以上説明したように、請求項１に記載の発明にあっては、家具の背面部を、排水管や給湯水管等の配管経路や柱等の突出体が形成されてなる場所に密着させて設置する家具の施工法を技術的前提とし、上記家具の背面部であって上記突出体と当接する部位を突出体の突出形状に対応させて切欠した後、この切欠部回りを平面形状が略字状或いは凹状に形成されたガード体を家具の天板部に載置して突出体の突出面部を囲繞し、該ガード体と家具の天板部との接合部を水密状にシールするように構成したので、家具と壁面の凹凸との接合部をガード体で隠蔽することができ、家具の天板回りのデザイン的統一性を保持することができる。
【００２６】
また、請求項２に記載の発明にあっては、例えば、本発明を流し台に適用した場合、前記天板とガード体とを同一の金属素材で形成し、該金属製天板と前記ガード体の表面をエアープラズマで加工処理することで、天板とのデザイン的統一性を得ることができ、高級な商品品質を容易に得ることができる。
【００２７】
さらに、請求項３に記載の発明にあっては、前記流し台等の家具の天板にバックガード部が形成されている場合、該バックガード部と当接する前記ガード体の端部を、上記バックガード部の湾曲形状に合わせて切欠することで、天板との一体性をより簡単に得ることができる等、幾多の優れた効果を得ることができる。
【図面の簡単な説明】
【図１】この発明を流し台に適用した実施の一形態例を示す要部斜視図である。
【図２】同流し台のカバー体用ガード体の斜視図である。
【図３】同カバー体用ガード体の平面図である。
【図４】同カバー体用ガード体の正面図である。
【図５】同カバー体用ガード体の右側面図である。
【図６】図３Ｘ−Ｘ線断面図である。
【図７】図４Ｙ−Ｙ線断面図である。
【図８】図４Ｚ−Ｚ線断面図である。
【図９】同流し台の柱用ガード体の斜視図である。
【図１０】同柱用ガード体の平面図である。
【図１１】同柱用ガード体の正面図である。
【図１２】同柱用ガード体の左側面図である。
【図１３】図１２Ｙ−Ｙ線断面図である。
【図１４】図１１Ｘ−Ｘ線断面図である。
【図１５】図１２Ｚ−Ｚ線断面図である。
【符号の説明】
Ｋ  流し台（家具）
１  天板
２  バックガード部
３  カバー体
４  柱
１０  カバー体用ガード体
１２Ｃ，１３Ｃ，２２Ｃ  切り欠き部
【図１】
2004208881.tif 000003
【図２】
2004208881.tif 000004
【図３】
2004208881.tif 000005
【図４】
2004208881.tif 000006
【図５】
2004208881.tif 000007
【図６】
2004208881.tif 000008
【図７】
2004208881.tif 000009
【図８】
2004208881.tif 000010
【図９】
2004208881.tif 000011
【図１０】
2004208881.tif 000012
【図１１】
2004208881.tif 000013
【図１２】
2004208881.tif 000014
【図１３】
2004208881.tif 000015
【図１４】
2004208881.tif 000016
【図１５】
2004208881.tif 000017